(57)【要約】      （修正有）【課題】紫外線量の計測に係る誤差を抑制することができる情報処理装置を提供する。【解決手段】情報処理装置は、紫外線量を測定する第１のセンサ（紫外線センサ）と、姿勢角を測定する第２のセンサ（ジャイロセンサ、地磁気センサ）と、太陽高度を算出し、第２のセンサにより測定した姿勢角と太陽高度とに基づいて、第１のセンサにより測定した紫外線量を補正した値を算出する算出部とを備え、情報処理装置の姿勢に応じて紫外線量の計測に係る誤差を抑制する。【選択図】図３
2014109546.tif 000002
【特許請求の範囲】
【請求項１】
紫外線量を測定する第１のセンサと、
姿勢角を測定する第２のセンサと、
太陽高度を算出し、前記第２のセンサにより測定した前記姿勢角と前記太陽高度とに基づいて、前記第１のセンサにより測定した前記紫外線量を補正した値を算出する算出部と
を備える情報処理装置。
【請求項２】
前記算出部は、前記第２のセンサにより測定した前記姿勢角に基づいて地表からの反射光が前記第１のセンサに照射されていると判定した場合に、地表の種類に応じた反射率に基づいて、前記補正した値を算出する
請求項１記載の情報処理装置。
【請求項３】
前記算出部は、前記第２のセンサにより測定した前記姿勢角に基づいて地表からの反射光が前記第１のセンサに照射されていると判定した場合に、前記反射率Ｒと、前記紫外線量Ｕと、前記太陽高度θと、前記第１のセンサを下方に向けた状態から太陽方向に上向く角度αとを用いて、
【数１】
2014109546.tif 000016
に従って、前記補正した値Ｕａを算出する
請求項２記載の情報処理装置。
【請求項４】
前記算出部は、前記第２のセンサにより測定した前記姿勢角に基づいて太陽光が直接前記第１のセンサに照射されていると判定した場合に、地表の種類に応じた反射率に基づいて、前記補正した値を算出する
請求項１乃至３いずれか１つ記載の情報処理装置。
【請求項５】
前記算出部は、前記第２のセンサにより測定した前記姿勢角に基づいて太陽光が直接前記第１のセンサに照射されていると判定した場合に、前記反射率Ｒと、前記紫外線量Ｕと、太陽高度θと、前記第１のセンサを下方に向けた状態から太陽方向に上向く角度αとを用いて、
【数２】
2014109546.tif 000017
に従って前記補正した値Ｕａを算出する
請求項１乃至４のいずれか１つ記載の情報処理装置。
【請求項６】
前記補正した値は、太陽方位に向かう垂直面において受ける紫外線量である
請求項１乃至５のいずれか１つ記載の情報処理装置。
【請求項７】
前記算出部は、情報処理装置の所定の軸が太陽の方位と一致したときに、測定した姿勢角と紫外線量を用いる
請求項１乃至６のいずれか１つ記載の情報処理装置。
【請求項８】
紫外線量を測定する第１のセンサと姿勢を測定する第２のセンサとを有する情報処理装置による計測方法であって、
第２のセンサに姿勢角を測定させる処理と、
第１のセンサに紫外線量を測定させる処理と、
太陽高度を算出する処理と、
前記姿勢角と前記太陽高度とに基づいて、前記紫外線量を補正した値を算出する処理と
を含む計測方法。
【請求項９】
紫外線量を測定する第１のセンサと姿勢を測定する第２のセンサとを有する情報処理装置に実行させるプログラムであって、
第２のセンサに姿勢角を測定させる処理と、
第１のセンサに紫外線量を測定させる処理と、
太陽高度を算出する処理と、
前記姿勢角と前記太陽高度とに基づいて、前記紫外線量を補正した値を算出する処理と
を含むプログラム。
【発明の詳細な説明】
【技術分野】
【０００１】
本技術は、紫外線の計測技術に関する。
【背景技術】
【０００２】
人間が太陽からの紫外線に長時間さらされると、皮膚や目などにダメージを与えることが広く知られている。紫外線による人体への影響を避けるためには、強い紫外線の照射を避けることが重要である。
【０００３】
このため、紫外線による日焼け等の美容や健康の問題のために個人に有用な情報を提供する携帯システムが提案されている。このシステムは、紫外線を検出するセンサーと通信のための携帯電話と情報処理装置を組み合わせたシステムである。そして、個人の被爆する紫外線を計測するためには個人の位置の検出を行い、紫外線センサーの測定値を個人の位置での紫外線照射量に換算し、換算された線量を美容や健康に有用な情報に情報処理によって変換して通知する。また、このシステムでは、紫外線センサーがスキー場等の対象地域に設定される形態と、携帯電話に組み込まれる形態とがある。
【０００４】
特定の対象地域に紫外線センサーに設置される場合には、利用者がその対象地域から離れた場所にいる場合には、紫外線量を計測することはできない。
【０００５】
また、携帯電話に組み込まれている紫外線センサーを用いる場合、紫外線センサーの向きによって感受する紫外線の強さが変動するため、正確に紫外線量を計測することは難しい。
【先行技術文献】
【特許文献】
【０００６】
【特許文献１】特開２００６−１５７１２７号公報
【特許文献２】特開２００２−３５８５９０号公報
【特許文献３】特開２０１１−２５４７１１号公報
【発明の概要】
【発明が解決しようとする課題】
【０００７】
一側面では、紫外線量の計測に係る誤差を抑制することを目的とする。
【課題を解決するための手段】
【０００８】
一態様の情報処理装置は、紫外線量を測定する第１のセンサと、姿勢角を測定する第２のセンサと、太陽高度を算出し、第２のセンサにより測定した姿勢角と太陽高度とに基づいて、第１のセンサにより測定した紫外線量を補正した値を算出する算出部とを備える。
【発明の効果】
【０００９】
一態様によれば、紫外線量の計測に係る誤差を抑制できるようになる。
【図面の簡単な説明】
【００１０】
【図１】図１は、情報処理装置のハードウエア構成例を示す図である。
【図２】図２は、情報処理装置のモジュール構成例を示す図である。
【図３】図３は、メイン処理フローの例を示す図である。
【図４】図４は、地表特定処理フローの例を示す図である。
【図５】図５は、地表選択画面の例を示す図である。
【図６】図６は、位置特定処理フローの例を示す図である。
【図７】図７は、姿勢測定処理（Ａ）フローの例を示す図である。
【図８】図８は、姿勢角の例を示す図である。
【図９】図９は、紫外線測定処理フローの例を示す図である。
【図１０】図１０は、算出処理フローの例を示す図である。
【図１１】図１１は、太陽高度の例を示す図である。
【図１２】図１２は、太陽高度の変化率の例を示す図である。
【図１３】図１３は、地表の反射率の例を示す図である。
【図１４】図１４は、直接光基準式を説明するための図である。
【図１５】図１５は、反射光基準式を説明するための図である。
【図１６】図１６は、出力画面の例を示す図である。
【図１７】図１７は、姿勢測定処理（Ｂ）フローの例を示す図である。
【発明を実施するための形態】
【００１１】
［実施の形態１］
図１に、情報処理装置のハードウエア構成例を示す。情報処理装置１０１は、ＲＡＭ１０３、スピーカ１０５、ＬＣＤ（Liquid Crystal Display：液晶ディスプレイ）１０７、タッチパネル１０９、マイク１１１、ＮＡＮＤ（Not AND）メモリ１１３、通信ＣＰＵ（Central Processing Unit）１１５、アプリＣＰＵ１１７、近距離通信デバイス１１９、ＧＰＳ（Global Positioning System：全地球測位システム）装置１２１、無線ＬＡＮ（Local Area Network）デバイス１２３、ＤＳＰ（Digital Signal Processor）１２５、ＩＳＰ（Image Signal Processor）１２７、カメラ１２９、バス１３１、サブプロセッサ１３３、地磁気センサ１３５、ジャイロセンサ１３７及び紫外線センサ１３９を有している。そのうち、ＲＡＭ１０３、スピーカ１０５、ＬＣＤ１０７、タッチパネル１０９、マイク１１１、ＮＡＮＤメモリ１１３、通信ＣＰＵ１１５、アプリＣＰＵ１１７、近距離通信デバイス１１９、ＧＰＳ装置１２１、無線ＬＡＮデバイス１２３、ＤＳＰ１２５、ＩＳＰ１２７及びカメラ１２９は、バス１３１を介して接続している。ＬＣＤ１０７は、表示装置の例である。
【００１２】
ＲＡＭ１０３は、例えばプログラムやデータを記憶する。スピーカ１０５は、音声を出力する。ＬＣＤ１０７は、画像や画面を表示する。タッチパネル１０９は、接触状態と接触位置などを検出する。マイク１１１は、音声を入力する。ＮＡＮＤメモリ１１３は、不揮発性記憶素子のフラッシュメモリである。このＮＡＮＤメモリ１１３は、例えばプログラムやデータを記憶する。通信ＣＰＵ１１５は、通信処理に係る演算処理を行う。アプリＣＰＵ１１７は、アプリケーションソフトを実行する演算装置である。近距離通信デバイス１１９は、近距離通信を制御するデバイスである。ＧＰＳ装置１２１は、位置を測定する装置である。無線ＬＡＮデバイス１２３は、無線ＬＡＮの通信を制御するデバイスである。ＤＳＰ１２５は、デジタル信号処理を行うプロセッサである。ＩＳＰ１２７は、画像処理を行うプロセッサである。カメラ１２９は、撮影する装置である。また、アプリＣＰＵ１１７は、サブプロセッサ１３３と接続している。サブプロセッサ１３３は、地磁気センサ１３５、ジャイロセンサ１３７、及び紫外線センサ１３９に接続している。サブプロセッサ１３３は、地磁気センサ１３５、ジャイロセンサ１３７、及び紫外線センサ１３９を制御する。地磁気センサ１３５は、地磁気の向きを検知し、方位を算出する装置である。ジャイロセンサ１３７は、角速度を検出する装置である。紫外線センサ１３９は、紫外線量を測定する。地磁気センサ１３５とジャイロセンサ１３７は、姿勢角も測定することができる。
【００１３】
この例では、アプリＣＰＵ１１７は、サブプロセッサ１３３を介して地磁気センサ１３５、ジャイロセンサ１３７、及び紫外線センサ１３９の計測結果を取得するが、アプリＣＰＵ１１７は、直接に地磁気センサ１３５、ジャイロセンサ１３７、及び紫外線センサ１３９の計測結果を取得するようにしてもよい。
【００１４】
図２に、情報処理装置のモジュール構成例を示す。情報処理装置１０１は、特定部２０１、測定部２０３、算出部２０５及び出力部２０７を有している。特定部２０１は、地表を特定する地表特定処理と位置を特定する位置特定処理を行う。測定部２０３は、姿勢を測定する姿勢測定処理と紫外線量を測定する紫外線測定処理を行う。算出部２０５は、補正した紫外線量を算出する算出処理を行う。出力部２０７は、補正した紫外線量と補助的な情報を出力する出力処理を行う。
【００１５】
図３に、メイン処理フローの例を示す。特定部２０１は、地表特定処理を行う（Ｓ３０１）。
【００１６】
図４に、地表特定処理フローの例を示す。特定部２０１は、地表選択画面を出力する（Ｓ４０１）。
【００１７】
図５に、地表選択画面の例を示す。地表選択画面は、ＬＣＤ１０７に表示される。測定地点における地表の種類を選択するように促している。この例では、「雪」、「砂浜」、「アスファルト」、「水面」又は「草地又は土」のいずれかのボタンを指示することにより、利用者は地表の種類を選択する。
【００１８】
図４の処理に戻って、特定部２０１は、利用者による選択を待つ（Ｓ４０３）。特定部２０１は、選択を受け付けることにより、測定地点における地表の種類を特定する。
【００１９】
図３の処理に戻って、特定部２０１は、位置特定処理を行う（Ｓ３０３）。
【００２０】
図６に、位置特定処理フローの例を示す。特定部２０１は、ＧＰＳ装置１２１を起動する（Ｓ６０１）。特定部２０１は、ＧＰＳ装置１２１を用いて所在位置を測定する（Ｓ６０３）。特定部２０１は、予め位置情報を記憶しておき、その位置情報を読み出すことにより位置を特定するようにしてもよい。
【００２１】
図３の処理に戻って、測定部２０３は、姿勢測定処理を行う（Ｓ３０５）。本実施の形態では、姿勢測定処理（Ａ）について説明する。
【００２２】
図７に、姿勢測定処理（Ａ）フローの例を示す。測定部２０３は、ジャイロセンサ１３７を起動する（Ｓ７０１）。測定部２０３は、更に地磁気センサ１３５を起動する（Ｓ７０３）。測定部２０３は、ジャイロセンサ１３７又は地磁気センサ１３５を用いて測定した姿勢角を取得する（Ｓ７０５）。ジャイロセンサ１３７から姿勢角を取得する場合には、Ｓ７０３に示した地磁気センサ１３５の起動を省略するようにしてもよい。地磁気センサ１３５から姿勢角を取得する場合には、Ｓ７０１に示したジャイロセンサ１３７の起動を省略するようにしてもよい。
【００２３】
ここで、姿勢角について説明する。図８に、姿勢角の例を示す。この例では、図８に示したようにｘ軸における回転角をロール角βとよぶ。この例で、ｘ軸は正面の下から上への方向の長軸である。この例では、図８に示したようにｙ軸における回転角をピッチ角αとよぶ。この例で、ｙ軸は正面の左から右への方向の短軸である。この例では、図８に示したようにｚ軸における回転角をヨー角γとよぶ。この例で、ｚ軸は正面の手前から奥への厚さ方向の軸である。
【００２４】
図３の処理に戻って、測定部２０３は、紫外線測定処理を行う（Ｓ３０７）。
【００２５】
図９に、紫外線測定処理フローの例を示す。測定部２０３は、紫外線センサ１３９を起動する（Ｓ９０１）。測定部２０３は、紫外線センサ１３９により測定した紫外線量を取得する（Ｓ９０３）。
【００２６】
図３の処理に戻って、算出部２０５は、算出処理を行う（Ｓ３０９）。算出部２０５は、算出処理によって、紫外線量の補正値を算出する。補正した値は、太陽方位に向かう垂直面における全方位からの紫外線量（施用面全方位紫外線量という。）に相当する。
【００２７】
図１０に、算出処理フローの例を示す。算出部２０５は、情報処理装置１０１が備えるカレンダー時計部から当日の日付及び現在の時刻を特定する（Ｓ１００１）。算出部２０５は、当日の日付及び現在の時刻に基づいて太陽高度を算出する（Ｓ１００３）。太陽高度の算出方法は、周知の方法を用いる。以下、簡単に太陽高度の算出方法について説明する。
【００２８】
算出部２０５は、まず、日付に対応する太陽高度を求める。図１１に、日付に対応する太陽高度の例を示す。この太陽高度Ｓは、正午時点における太陽高度を示している。例えば、４月１日の正午時点における太陽高度Ｓは、５８．５度である。正午以外の時間における太陽高度は、正午時点における太陽高度Ｓを基準に求められる。太陽高度Ｓは、日付をパラメータとする値であるので、Ｓ（Ｄ）と表すようにしてもよい。ここで、Ｄは日付を示している。
【００２９】
図１２に、太陽高度の変化率の例を示す。この変化率Ｖは、時刻による太陽高度の変化の割合を示している。具体的には、正午時点における太陽高度Ｓに対する変化率を時刻毎に示している。例えば、１０：００における太陽高度は、正午時点における太陽高度Ｓに０．８３を乗じた値であることを示している。変化率Ｖは、時刻をパラメータとする値であるので、Ｖ（Ｔ）と表すようにしてもよい。ここで、Ｔは時刻を示している。
【００３０】
日付に基づいて当日の正午時点における太陽高度Ｓを求め、更に時刻に基づいて変化率Ｖを求め、太陽高度Ｓに変化率Ｖを乗ずることにより、積としてその時点の太陽高度θを求める。太陽高度θは、日付Ｄと時刻Ｔをパラメータとする値であるので、θ（Ｄ，Ｔ）と表すようにしてもよい。
【００３１】
図１０の処理に戻って、算出部２０５は、反射率を特定する（Ｓ１００５）。具体的には、算出部２０５は、Ｓ３０１の地表特定処理で選択された地表の種類に対応する反射率を特定する。地表の反射率は、地表の種類により特定される。
【００３２】
図１３に、地表の反射率の例を示す。この例では、「雪」、「砂浜」、「アスファルト」、「水面」、草地又は土」における反射率を示している。算出部２０５は、この対応関係を予め記憶している。
【００３３】
算出部２０５は、ピッチ角αが９０度以上であるか否かを判定する（Ｓ１００７）。この例ではピッチ角αを基準として判定するが、ピッチ角αに代えてロール角βを基準として判定するようにしてもよい。
【００３４】
ピッチ角αが９０度以上であると判定した場合には、算出部２０５は、直接光基準式による算出を行う（Ｓ１００９）。
【００３５】
図１４を用いて直接光基準式について説明する。線１４０１は、太陽光を示している。角度θは、太陽高度を示している。角度αは、情報処理装置１０１の裏面に設置された紫外線センサ１３９を下方に向けた水平状態から太陽方向に上向く角度を示している。この例では、姿勢角のうちピッチ角αを用いている。つまり、図８に示したｙ軸を中心とする角度である。但し、ｘ軸を中心とするロール角βを用いるようにしてもよい。
【００３６】
この例では、正面全方位紫外線量Ｕａを算出する。正面全方位紫外線量Ｕａは、以下の式で求められる。
Ｕａ＝Ｌｄ＋Ｌｒ      （１）
Ｌｄは、太陽の直接光における紫外線量を示している。Ｌｒは、太陽の反射光における紫外線量を示している。
【００３７】
また、Ｌｒは、反射により紫外線量が減るので、以下の関係が成り立つ。
Ｌｄ：Ｌｒ＝１：Ｒ      （２）
【００３８】
（２）の式は、以下のように書き換えられる。
Ｌｒ＝Ｒ×Ｌｄ      （３）
【００３９】
更に、紫外線センサ１３９に対する照射角度を考慮すると、紫外線センサ１３９で測定された紫外線量に関して、以下の式が成り立つ。
【数１】
2014109546.tif 000003
Ｕは、紫外線センサ１３９で計測された紫外線量の値である。
【００４０】
（４）の式は、以下のように書き換えられる。
【数２】
2014109546.tif 000004
【００４１】
（３）の式のＬｄを（５）の式で置き換え、以下の式が求められる。
【数３】
2014109546.tif 000005
【００４２】
（１）式のＬｄとＬｒを（５）の式と（６）の式で置き換え、以下の式が求められる。
【数４】
2014109546.tif 000006
【００４３】
（７）の式は、直接光基準式である。算出部２０５は、直接光基準式に従って、紫外線量を補正した値（正面全方位紫外線量Ｕａ）を算出する。
【００４４】
このようにすれば、紫外線量を測定する紫外線センサ１３９が太陽光を直接受ける場合に、太陽光の直接光と地表からの反射光に含まれる紫外線量の合計を算出することができる。
【００４５】
図９の処理に戻って、ピッチ角αが９０度以上でないと判定した場合には、算出部２０５は、反射光基準式による算出を行う（Ｓ１０１１）。
【００４６】
図１５を用いて反射光基準式について説明する。線１５０１は、太陽光を示している。線１５０３は、地表面における反射光を示している。角度θは、太陽高度を示している。角度αは、前述と同様に、情報処理装置１０１の裏面に設置された紫外線センサ１３９を下方に向けた水平状態から太陽方向に上向く角度を示している。この例では、姿勢角のうちピッチ角αを用いている。つまり、図８に示したｙ軸を中心とする角度である。但し、ｘ軸を中心とするロール角βを用いるようにしてもよい。
【００４７】
前述と同様に、正面全方位紫外線量Ｕａを算出する。この場合も、図１４と同様に（１）の式と（２）の式が成り立つ。
【００４８】
（２）の式は、以下のように書き換えられる。
【数５】
2014109546.tif 000007
【００４９】
そして、紫外線センサ１３９に対する照射角度を考慮すると、紫外線センサ１３９で測定された紫外線量に関して、以下の式が成り立つ。
【数６】
2014109546.tif 000008
【００５０】
（９）の式は、以下のように置き換えられる。
【数７】
2014109546.tif 000009
【００５１】
また、（８）の式のＬｒを（１０）の式で置き換え、以下の式が求められる。
【数８】
2014109546.tif 000010
【００５２】
（１）式のＬｄとＬｒを（１１）の式と（１２）の式で置き換え、以下の式が求められる。
【数９】
2014109546.tif 000011
【００５３】
（１２）の式は、反射光基準式である。算出部２０５は、反射光基準式に従って、紫外線量を補正した値（正面全方位紫外線量Ｕａ）を算出する。
【００５４】
このようにすれば、紫外線量を測定する紫外線センサ１３９が太陽光を地表からの反射光として受ける場合に、太陽光の直接光と地表からの反射光に含まれる紫外線量の合計を算出することができる。
【００５５】
図１０の処理に戻って、算出部２０５は、予測時間を算出する（Ｓ１０１３）。例えば、算出部２０５は、基準となる所定紫外線量を、補正した紫外線量で除することによって予測時間を算出する。
【００５６】
つまり、算出部２０５は、補正した値に基づいて、紫外線により一定の影響を受けると予測される時間を算出する。このようにすれば、滞在時間に関する目安や制限を得ることができる。
【００５７】
図３の処理に戻って、出力部２０７は、出力処理を行う（Ｓ３１１）。具体的には、出力部２０７は、出力画面を表示する。
【００５８】
図１６に、出力画面の例を示す。画面中、上段に紫外線量を補正した値（正面全方位紫外線量Ｕａ）表示している。また、下段に予測時間を表示している。
【００５９】
このようにすれば、情報処理装置１０１の姿勢に応じて紫外線量の計測に係る誤差を抑制することができる。
【００６０】
［実施の形態２］
実施の形態は、装置の方位が太陽の方位に一致したタイミングで、姿勢角と紫外線量を測定する例について説明する。
【００６１】
本実施の形態では、図３のＳ３０５において、姿勢測定処理（Ａ）に代えて姿勢測定処理（Ｂ）を行う。
【００６２】
図１７に、姿勢測定処理（Ｂ）フローの例を示す。測定部２０３は、ジャイロセンサ１３７を起動し（Ｓ７０１）、更に地磁気センサ１３５を起動する（Ｓ７０３）。続いて、測定部２０３は、太陽方位を特定する（Ｓ１７０１）。測定部２０３は、現在時刻をカレンダー時計部より取得し、現在時刻に基づいて太陽方位を特定する。
【００６３】
測定部２０３は、地磁気センサ１３５で測定した装置方位を取得する（Ｓ１７０３）。紫外線量の補正においてピッチ角αを用いる場合には、装置方位は、ｘ軸の正方向を指す方角である。尚、紫外線量の補正算においてロール角βを用いる場合には、装置方位は、ｙ軸の負方向を指す方角である。
【００６４】
測定部２０３は、装置方位が太陽方位と一致するか否かを判定する（Ｓ１７０５）。装置方位が太陽方位と一致しないと判定した場合には、Ｓ１７０３に戻り、再び装置の方位を取得する。装置方位が太陽方位と一致すると判定した場合には、測定部２０３は、ジャイロセンサ１３７又は地磁気センサ１３５に姿勢角を測定させ、測定された姿勢角を取得する（Ｓ７０５）。
【００６５】
図３の処理に戻って、紫外線測定処理を行う（Ｓ３０７）。つまり、紫外線量の測定は、姿勢の測定に続いて直ちに行われる。
【００６６】
このようにすれば、装置の方向が太陽の方向に向いた瞬間に、姿勢角と紫外線量を測定するので、補正値に含まれる誤差を少なくすることができる。
【００６７】
以上本技術の一実施の形態を説明したが、本技術はこれに限定されるものではない。例えば、上述の機能ブロック構成は実際のプログラムモジュール構成に対応するものではない。
【００６８】
また、上で説明した各記憶領域の構成は一例であって、上記のような構成でなければならないわけではない。さらに、処理フローにおいても、処理結果が変わらなければ処理の順番を入れ替えることも可能である。さらに、並列に実行させるようにしても良い。
【００６９】
以上述べた実施の形態をまとめると、以下のようになる。
【００７０】
本実施の形態に係る情報処理装置は、紫外線量を測定する第１のセンサと、姿勢角を測定する第２のセンサと、太陽高度を算出し、第２のセンサにより測定した姿勢角と太陽高度とに基づいて、第１のセンサにより測定した紫外線量を補正した値を算出する算出部とを備える。
【００７１】
このようにすれば、情報処理装置の姿勢に応じて紫外線量の計測に係る誤差を抑制することができる。
【００７２】
また、算出部は、第２のセンサにより測定した姿勢角に基づいて地表からの反射光が第１のセンサに照射されていると判定した場合に、地表の種類に応じた反射率に基づいて、補正した値を算出するようにしてもよい。
【００７３】
このようにすれば、紫外線量を測定する紫外線センサが太陽光を地表からの反射光として受ける場合に、紫外線量の計測に係る誤差を抑制することができる。
【００７４】
また、算出部は、第２のセンサにより測定した姿勢角に基づいて地表からの反射光が第１のセンサに照射されていると判定した場合に、反射率Ｒと、紫外線量Ｕと、太陽高度θと、第１のセンサを下方に向けた状態から太陽方向に上向く角度αとを用いて、
【数１０】
2014109546.tif 000012
に従って、補正した値Ｕａを算出するようにしてもよい。
【００７５】
このようにすれば、紫外線量を測定する紫外線センサが太陽光を地表からの反射光として受ける場合に、太陽光の直接光と地表からの反射光に含まれる紫外線量の合計を算出することができる。
【００７６】
また、算出部は、第２のセンサにより測定した姿勢角に基づいて太陽光が直接第１のセンサに照射されていると判定した場合に、地表の種類に応じた反射率に基づいて、補正した値を算出するようにしてもよい。
【００７７】
このようにすれば、紫外線量を測定する紫外線センサが太陽光を直接受ける場合に、紫外線量の計測に係る誤差を抑制することができる。
【００７８】
また、算出部は、第２のセンサにより測定した姿勢角に基づいて太陽光が直接第１のセンサに照射されていると判定した場合に、反射率Ｒと、紫外線量Ｕと、太陽高度θと、第１のセンサを下方に向けた状態から太陽方向に上向く角度αとを用いて、
【数１１】
2014109546.tif 000013
に従って補正した値Ｕａを算出するようにしてもよい。
【００７９】
このようにすれば、紫外線量を測定する紫外線センサが太陽光を直接受ける場合に、太陽光の直接光と地表からの反射光に含まれる紫外線量の合計を算出することができる。
【００８０】
また、補正した値は、太陽方位に向かう垂直面において受ける紫外線量であってもよい。
【００８１】
このようにすれば、通常の体勢で受ける標準的な紫外線量を知ることができる。
【００８２】
また、算出部は、補正した値に基づいて、紫外線により一定の影響を受けると予測される時間を算出するようにしてもよい。
【００８３】
このようにすれば、滞在時間に関する目安や制限を得ることができる。
【００８４】
また、算出部は、情報処理装置の所定の軸が太陽の方位と一致したときに、測定した姿勢角と紫外線量を用いるようにしてもよい。
【００８５】
このようにすれば、測定時において太陽に対する情報処理装置の向きが一定になるので、紫外線量の計測に係る誤差を抑制することができる。
【００８６】
なお、上記方法による処理をプロセッサに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納されるようにしてもよい。尚、中間的な処理結果は、一般的にメインメモリ等の記憶装置に一時保管される。
【００８７】
以上の実施例を含む実施形態に関し、さらに以下の付記を開示する。
【００８８】
（付記１）
紫外線量を測定する第１のセンサと、
姿勢角を測定する第２のセンサと、
太陽高度を算出し、前記第２のセンサにより測定した前記姿勢角と前記太陽高度とに基づいて、前記第１のセンサにより測定した前記紫外線量を補正した値を算出する算出部と
を備える情報処理装置。
【００８９】
（付記２）
前記算出部は、前記第２のセンサにより測定した前記姿勢角に基づいて地表からの反射光が前記第１のセンサに照射されていると判定した場合に、地表の種類に応じた反射率に基づいて、前記補正した値を算出する
付記１記載の情報処理装置。
【００９０】
（付記３）
前記算出部は、前記第２のセンサにより測定した前記姿勢角に基づいて地表からの反射光が前記第１のセンサに照射されていると判定した場合に、前記反射率Ｒと、前記紫外線量Ｕと、前記太陽高度θと、前記第１のセンサを下方に向けた状態から太陽方向に上向く角度αとを用いて、
【数１２】
2014109546.tif 000014
に従って、前記補正した値Ｕａを算出する
付記２記載の情報処理装置。
【００９１】
（付記４）
前記算出部は、前記第２のセンサにより測定した前記姿勢角に基づいて太陽光が直接前記第１のセンサに照射されていると判定した場合に、地表の種類に応じた反射率に基づいて、前記補正した値を算出する
付記１乃至３いずれか１つ記載の情報処理装置。
【００９２】
（付記５）
前記算出部は、前記第２のセンサにより測定した前記姿勢角に基づいて太陽光が直接前記第１のセンサに照射されていると判定した場合に、前記反射率Ｒと、前記紫外線量Ｕと、太陽高度θと、前記第１のセンサを下方に向けた状態から太陽方向に上向く角度αとを用いて、
【数１３】
2014109546.tif 000015
に従って前記補正した値Ｕａを算出する
付記１乃至４のいずれか１つ記載の情報処理装置。
【００９３】
（付記６）
前記補正した値は、太陽方位に向かう垂直面において受ける紫外線量である
付記１乃至５のいずれか１つ記載の情報処理装置。
【００９４】
（付記７）
前記算出部は、前記補正した値に基づいて、紫外線により一定の影響を受けると予測される時間を算出する
付記１乃至６のいずれか１つ記載の情報処理装置。
【００９５】
（付記８）
前記算出部は、情報処理装置の所定の軸が太陽の方位と一致したときに、測定した姿勢角と紫外線量を用いる
付記１乃至７のいずれか１つ記載の情報処理装置。
【００９６】
（付記９）
紫外線量を測定する第１のセンサと姿勢を測定する第２のセンサとを有する情報処理装置による計測方法であって、
第２のセンサに姿勢角を測定させる処理と、
第１のセンサに紫外線量を測定させる処理と、
太陽高度を算出する処理と、
前記姿勢角と前記太陽高度とに基づいて、前記紫外線量を補正した値を算出する処理と
を含む計測方法。
【００９７】
（付記１０）
紫外線量を測定する第１のセンサと姿勢を測定する第２のセンサとを有する情報処理装置に実行させるプログラムであって、
第２のセンサに姿勢角を測定させる処理と、
第１のセンサに紫外線量を測定させる処理と、
太陽高度を算出する処理と、
前記姿勢角と前記太陽高度とに基づいて、前記紫外線量を補正した値を算出する処理と
を含むプログラム。
【符号の説明】
【００９８】
１０１  情報処理装置    １０３  ＲＡＭ
１０５  スピーカ    １０７  ＬＣＤ
１０９  タッチパネル    １１１  マイク
１１３  ＮＡＮＤメモリ    １１５  通信ＣＰＵ
１１７  アプリＣＰＵ    １１９  近距離通信デバイス
１２１  ＧＰＳ装置    １２３  無線ＬＡＮデバイス
１２５  ＤＳＰ    １２７  ＩＳＰ
１２９  カメラ    １３１  バス
１３３  サブプロセッサ    １３５  地磁気センサ
１３７  ジャイロセンサ    １３９  紫外線センサ
２０１  特定部    ２０３  測定部
２０５  算出部    ２０７  出力部
１４０１  太陽光      １５０１  直接光
１５０３  反射光
【図１】
2014109546.tif 000018
【図２】
2014109546.tif 000019
【図３】
2014109546.tif 000020
【図４】
2014109546.tif 000021
【図５】
2014109546.tif 000022
【図６】
2014109546.tif 000023
【図７】
2014109546.tif 000024
【図８】
2014109546.tif 000025
【図９】
2014109546.tif 000026
【図１０】
2014109546.tif 000027
【図１１】
2014109546.tif 000028
【図１２】
2014109546.tif 000029
【図１３】
2014109546.tif 000030
【図１４】
2014109546.tif 000031
【図１５】
2014109546.tif 000032
【図１６】
2014109546.tif 000033
【図１７】
2014109546.tif 000034